(57)【要約】【課題】複数の収音装置の各々により収音された周囲の音声を、聴取者群による評価に基づいて選択的に聴取者に提供する。【解決手段】音声情報選択装置２３の音声情報入力部２３１１は、複数のＦＭレシーバ２１の各々から出力される音声情報を取得する。盛り上がり度算出部２３１２は、取得された各音声情報について盛り上がり度を算出する。ワイヤレスマイク選択部２３１３は、算出された各盛り上がり度に基づいて、複数のＦＭワイヤレスマイク１の中から一のＦＭワイヤレスマイク１を選択する。音声情報出力部２３１４は、選択されたＦＭワイヤレスマイク１により生成された音声情報をＦＭトランスミッタ２４に出力する。ＦＭトランスミッタ２４は、出力された音声情報に基づいて、指定された周波数の電波をＦＭ変調してワイヤレスイヤホン３に対して発信する。【選択図】図１
2018195903.tif 000002
【特許請求の範囲】
【請求項１】
エリアの各所に配置され、周囲の音声を収音して生成した音声情報に基づいて、指定された周波数の電波を変調して発信する複数の収音装置の各々から電波を受信する受信手段と、
前記受信手段により受信された電波の各々について、電波を復調して音声情報を取り出す復調手段と、
前記復調手段により取り出された音声情報の各々により表される音声に対する聴取者群による評価に基づいて、前記複数の収音装置の中から一の収音装置を選択する選択手段と、
前記選択された一の収音装置から受信された電波が復調されて取り出された音声情報を、聴取者が使用するユーザ端末に提供する提供手段と
を備える音声情報提供装置。
【請求項２】
前記提供手段は、前記選択された一の収音装置から受信された電波が復調されて取り出された音声情報に基づいて、指定された周波数の電波を変調して前記ユーザ端末に対して発信することを特徴とする請求項１に記載の音声情報提供装置。
【請求項３】
前記提供手段は、前記選択された一の収音装置から受信された電波が復調されて取り出された音声情報と、当該音声情報により表される音声が収音された場所を通知する音声情報とに基づいて、指定された周波数の電波を変調して前記ユーザ端末に対して発信することを特徴とする請求項１又は２に記載の音声情報提供装置。
【請求項４】
前記提供手段は、前記選択された一の収音装置から受信された電波が復調されて取り出された音声情報と、当該音声情報により表される音声に対する前記聴取者群による評価を通知する音声情報とに基づいて、指定された周波数の電波を変調して前記ユーザ端末に対して発信することを特徴とする請求項１乃至３のいずれか１項に記載の音声情報提供装置。
【請求項５】
前記複数の音声情報の各々について、音声情報を解析して、当該音声情報により表される音声に対する前記聴取者群の盛り上がりの度合いを示す盛り上がり度を算出する算出手段をさらに備え、
前記選択手段は、前記複数の音声情報の各々について前記算出手段により算出された盛り上がり度に基づいて、前記複数の収音装置の中から一の収音装置を選択する
ことを特徴とする請求項１乃至４のいずれか１項に記載の音声情報提供装置。
【請求項６】
前記算出手段は、前記複数の音声情報の各々について所定の時間単位で盛り上がり度を算出し、
前記選択手段は、前記複数の音声情報の各々について前記所定の時間単位で前記算出手段により算出された盛り上がり度に基づいて、前記複数の収音装置の中から一の収音装置を、前記所定の時間単位で選択する
ことを特徴とする請求項５に記載の音声情報提供装置。
【請求項７】
前記複数の音声情報の各々により表される音声の聴取回数又は前記聴取者群による評価を示す評価値を特定する評価値特定部をさらに備え、
前記選択手段は、前記複数の音声情報の各々について前記評価値特定部により特定された評価値に基づいて、前記複数の収音装置の中から一の収音装置を選択する
ことを特徴とする請求項１乃至４のいずれか１項に記載の音声情報提供装置。
【請求項８】
前記評価値特定部は、前記複数の音声情報の各々について所定の時間単位で評価値を特定し、
前記選択手段は、前記複数の音声情報の各々について前記所定の時間単位で前記評価値特定部により特定された評価値に基づいて、前記複数の収音装置の中から一の収音装置を、前記所定の時間単位に応じて選択する
ことを特徴とする請求項７に記載の音声情報提供装置。
【請求項９】
前記提供手段は、前記選択された一の収音装置から受信された電波が復調されて取り出された音声情報を、通信ネットワークを介して前記ユーザ端末に対して送信することを特徴とする請求項１乃至８のいずれか１項に記載の音声情報提供装置。
【請求項１０】
エリアの各所に配置され、周囲の音声を収音して生成した音声情報に基づいて、指定された周波数の電波を変調して発信する複数の収音装置の各々から電波を受信する受信ステップと、
前記受信ステップにより受信された電波の各々について、電波を復調して音声情報を取り出す復調ステップと、
前記復調ステップにより取り出された音声情報の各々により表される音声に対する聴取者群による評価に基づいて、前記複数の収音装置の中から一の収音装置を選択する選択ステップと、
前記選択された一の収音装置から受信された電波が復調されて取り出された音声情報を、聴取者が使用するユーザ端末に提供する提供ステップと
を備える音声情報提供方法。
【発明の詳細な説明】
【技術分野】
【０００１】
本発明は、収音装置により収音された周囲の音声を聴取者に提供するための装置及び方法に関する。
【背景技術】
【０００２】
従来、マイクで収音した環境音を遠隔地の聴取者に配信する技術が知られている。例えば、特許文献１には、インターネット電話システムにおいて、マイクで収音した環境音を通話相手にストリーミング配信する技術が記載されている。
【先行技術文献】
【特許文献】
【０００３】
【特許文献１】特開２００７−３０６５９７号公報
【発明の概要】
【発明が解決しようとする課題】
【０００４】
本発明は、複数の収音装置の各々により収音された周囲の音声を、聴取者群による評価に基づいて選択的に聴取者に提供することを目的とする。
【課題を解決するための手段】
【０００５】
上記の課題を解決するため、本発明に係る音声情報提供装置は、エリアの各所に配置され、周囲の音声を収音して生成した音声情報に基づいて、指定された周波数の電波を変調して発信する複数の収音装置の各々から電波を受信する受信手段と、前記受信手段により受信された電波の各々について、電波を復調して音声情報を取り出す復調手段と、前記復調手段により取り出された音声情報の各々により表される音声に対する聴取者群による評価に基づいて、前記複数の収音装置の中から一の収音装置を選択する選択手段と、前記選択された一の収音装置から受信された電波が復調されて取り出された音声情報を、聴取者が使用するユーザ端末に提供する提供手段とを備える。
【０００６】
前記提供手段は、前記選択された一の収音装置から受信された電波が復調されて取り出された音声情報に基づいて、指定された周波数の電波を変調して前記ユーザ端末に対して発信してもよい。
【０００７】
前記提供手段は、前記選択された一の収音装置から受信された電波が復調されて取り出された音声情報と、当該音声情報により表される音声が収音された場所を通知する音声情報とに基づいて、指定された周波数の電波を変調して前記ユーザ端末に対して発信してもよい。
【０００８】
前記提供手段は、前記選択された一の収音装置から受信された電波が復調されて取り出された音声情報と、当該音声情報により表される音声に対する前記聴取者群による評価を通知する音声情報とに基づいて、指定された周波数の電波を変調して前記ユーザ端末に対して発信してもよい。
【０００９】
前記音声情報提供措置は、前記複数の音声情報の各々について、音声情報を解析して、当該音声情報により表される音声に対する前記聴取者群の盛り上がりの度合いを示す盛り上がり度を算出する算出手段をさらに備え、前記選択手段は、前記複数の音声情報の各々について前記算出手段により算出された盛り上がり度に基づいて、前記複数の収音装置の中から一の収音装置を選択してもよい。
【００１０】
前記算出手段は、前記複数の音声情報の各々について所定の時間単位で盛り上がり度を算出し、前記選択手段は、前記複数の音声情報の各々について前記所定の時間単位で前記算出手段により算出された盛り上がり度に基づいて、前記複数の収音装置の中から一の収音装置を、前記所定の時間単位で選択してもよい。
【００１１】
前記音声情報提供措置は、前記複数の音声情報の各々により表される音声の聴取回数又は前記聴取者群による評価を示す評価値を特定する評価値特定部をさらに備え、前記選択手段は、前記複数の音声情報の各々について前記評価値特定部により特定された評価値に基づいて、前記複数の収音装置の中から一の収音装置を選択してもよい。
【００１２】
前記評価値特定部は、前記複数の音声情報の各々について所定の時間単位で評価値を特定し、前記選択手段は、前記複数の音声情報の各々について前記所定の時間単位で前記評価値特定部により特定された評価値に基づいて、前記複数の収音装置の中から一の収音装置を、前記所定の時間単位に応じて選択してもよい。
【００１３】
前記提供手段は、前記選択された一の収音装置から受信された電波が復調されて取り出された音声情報を、通信ネットワークを介して前記ユーザ端末に対して送信してもよい。
【００１４】
また、本発明に係る音声情報提供方法は、エリアの各所に配置され、周囲の音声を収音して生成した音声情報に基づいて、指定された周波数の電波を変調して発信する複数の収音装置の各々から電波を受信する受信ステップと、前記受信ステップにより受信された電波の各々について、電波を復調して音声情報を取り出す復調ステップと、前記復調ステップにより取り出された音声情報の各々により表される音声に対する聴取者群による評価に基づいて、前記複数の収音装置の中から一の収音装置を選択する選択ステップと、前記選択された一の収音装置から受信された電波が復調されて取り出された音声情報を、聴取者が使用するユーザ端末に提供する提供ステップとを備える。
【発明の効果】
【００１５】
本発明によれば、複数の収音装置の各々により収音された周囲の音声を、聴取者群による評価に基づいて選択的に聴取者に提供することができる。
【図面の簡単な説明】
【００１６】
【図１】音声情報提供システムの構成の一例を示す図である。
【図２】音声情報選択装置２３の構成の一例を示す図である。
【図３】選択画面の一例を示す図である。
【図４】選択ボタンＢとＦＭワイヤレスマイク１との対応関係を示す対応表の一例を示す図である。
【図５】ワイヤレスマイク選択処理の一例を示すフロー図である。
【図６】音声情報配信処理の一例を示すシーケンス図である。
【発明を実施するための形態】
【００１７】
１．実施形態
１−１．構成
図１は、本発明の一実施形態に係る音声情報提供システムの構成の一例を示す図である。同図に示す音声情報提供システムは、複数のＦＭワイヤレスマイク１−１〜１−ｎ（以下、総称して「ＦＭワイヤレスマイク１」という。）と、音声情報提供装置２と、ワイヤレスイヤホン３と、ユーザ端末４とを備える。本システムに含まれる装置のうち、音声情報提供装置２とユーザ端末４は、インターネットや無線ＬＡＮ等の通信ネットワーク５を介して接続される。なお同図には、ワイヤレスイヤホン３とユーザ端末４とが１つずつしか示されていないが、各々複数、当該システムに含まれてもよい。
【００１８】
複数のＦＭワイヤレスマイク１は、本発明に係る「収音装置」の一例であり、所定のエリアの各所に配置され、周囲の音声を収音して生成した音声情報に基づいて、指定された周波数の電波をＦＭ変調して発信する。ここで、所定のエリアとして本実施形態では、複数のブースやステージの各々においてミュージシャンによる演奏が行われる音楽イベントの会場を想定する。この音楽イベントの会場においてＦＭワイヤレスマイク１は、ブースやステージごとに設置され、ミュージシャンによる演奏や聴衆の歓声を収音する。各ＦＭワイヤレスマイク１は、具体的には、各々図示を省略するが、周囲の音声を収音して音声情報を生成するマイクと、生成された音声情報に基づいて、指定された周波数の電波をＦＭ変調する変調回路と、ＦＭ変調された電波を発信するアンテナと、ＦＭワイヤレスマイク１の各部に電力を供給する電池とを備える。ここで、各ＦＭワイヤレスマイク１について指定される電波の周波数は各々異なる。また電池とは、例えば太陽電池である。
【００１９】
音声情報提供装置２は、複数のＦＭワイヤレスマイク１の各々により収音された周囲の音声を、聴取者群による評価に基づいて選択的に聴取者に提供する。この音声情報提供装置２は、図１に示すように、複数のＦＭレシーバ２１−１〜２１−ｎ（以下、総称して「ＦＭレシーバ２１」という。）と、ミキサ２２と、音声情報選択装置２３と、ＦＭトランスミッタ２４とを備える。なお同図には、ＦＭトランスミッタ２４が１つしか示されていないが、複数、当該装置に含まれてもよい。
【００２０】
複数のＦＭレシーバ２１は、各々、本発明に係る「受信手段」及び「復調手段」の一例であり、ＦＭワイヤレスマイク１から電波を受信し、受信した電波を復調して音声情報を取り出す。各ＦＭレシーバ２１は、各々異なる予め定められたＦＭワイヤレスマイク１から電波を受信して復調し、音声情報を取り出す。例えば、ＦＭレシーバ２１−１は、ＦＭワイヤレスマイク１−１から電波を受信して復調し、ＦＭレシーバ２１−２は、ＦＭワイヤレスマイク１−２から電波を受信して復調する。各ＦＭレシーバ２１は、具体的には、各々図示を省略するが、ＦＭワイヤレスマイク１から発信された電波を受信するアンテナと、受信された電波を復調して音声情報を取り出す復調回路と、ＦＭレシーバ２１の各部に電力を供給する電池とを備える。ＦＭレシーバ２１は、ミキサ２２を介して音声情報選択装置２３に接続される。
【００２１】
音声情報選択装置２３は、複数のＦＭレシーバ２１の各々により復元された音声情報のうちのいずれかを、聴取者群による評価に基づいて選択する。図２は、音声情報選択装置２３の構成の一例を示す図である。同図に示す音声情報選択装置２３は、大略、制御部２３１と、記憶部２３２と、通信部２３３とを備える。制御部２３１は、ＣＰＵ等の演算処理装置と揮発性のメモリとを備え、記憶部２３２に記憶されるプログラムを実行する。記憶部２３２は、フラッシュメモリ等の記憶装置であり、制御部２３１により実行されるプログラムを記憶する。通信部２３３は、通信ネットワーク５を介してユーザ端末４と通信を行うための通信モジュールである。
【００２２】
上記の制御部２３１は、記憶部２３２に記憶されるプログラムを実行することにより、図２に示すように、音声情報入力部２３１１と、盛り上がり度算出部２３１２と、ワイヤレスマイク選択部２３１３と、音声情報出力部２３１４と、音声情報配信部２３１５という機能を実現する。
【００２３】
音声情報入力部２３１１は、複数のＦＭレシーバ２１の各々から出力される音声情報を、ミキサ２２を介して取得する。
【００２４】
盛り上がり度算出部２３１２は、音声情報入力部２３１１により取得された複数の音声情報の各々について、当該音声情報により表される音声に対する聴取者群による評価を示す値を、所定の時間単位で算出する。より具体的には、取得された各音声情報を解析して、当該音声情報により表される音声に対する聴取者群の盛り上がりの度合いを示す盛り上がり度を、所定の時間単位で算出する。ここで、聴取者群とは、当該音声情報を生成したＦＭワイヤレスマイク１の付近に存在する複数の聴取者のことである。これらの聴取者は、ブースやステージの付近でミュージシャンによる演奏を直接聴取している。また、所定の時間単位とは、例えば１０秒単位である。盛り上がり度を算出する際、盛り上がり度算出部２３１２は、音声情報からバンドパスフィルタにより人間の声に対応する周波数帯域（例えば、３００Ｈｚ〜４ｋＨｚ）を抽出し、抽出した周波数帯域の音圧レベル（ｄＢ値）の単位時間あたりの移動平均値を算出する。なお、盛り上がり度の詳細な算出方法については、例えば、原直、阿部匡伸、曽根原登、「クラウドソーシングによる環境音収集システムを用いた予備収録実験」、2015年日本音響学会秋季研究発表会、2015年9月、pp.147−148を参照のこと。
【００２５】
ワイヤレスマイク選択部２３１３は、本発明に係る「選択手段」の一例であり、音声情報入力部２３１１により取得された複数の音声情報の各々について盛り上がり度算出部２３１２により算出された評価の値（具体的には、盛り上がり度）に基づいて、複数のＦＭワイヤレスマイク１の中から一のＦＭワイヤレスマイク１を選択する。その際、ワイヤレスマイク選択部２３１３は、最も盛り上がり度の高い音声情報を生成したＦＭワイヤレスマイク１を選択する。言い換えると、最も盛り上がり度の高い音声情報を生成したＦＭワイヤレスマイク１から電波を受信したＦＭレシーバ２１を選択する。
【００２６】
音声情報出力部２３１４は、音声情報入力部２３１１により取得された複数の音声情報のうち、ワイヤレスマイク選択部２３１３により選択されたＦＭワイヤレスマイク１により生成された音声情報を、ミキサ２２を介してＦＭトランスミッタ２４に出力する。言い換えると、ワイヤレスマイク選択部２３１３により選択されたＦＭワイヤレスマイク１から電波を受信したＦＭレシーバ２１により復元された音声情報をＦＭトランスミッタ２４に出力する。
【００２７】
音声情報配信部２３１５は、音声情報が聴取者に提供されるＦＭワイヤレスマイク１を選択するための選択画面を表す画面情報をユーザ端末４に送信する。図３は、この選択画面の一例を示す図である。同図に示す選択画面には、音楽イベントの会場の平面図Ｍと、平面図Ｍ上において、実際に会場に配置されているＦＭワイヤレスマイク１と対応する位置に配置される選択ボタンＢ１〜Ｂ８（以下、総称して「選択ボタンＢ」という。）とが示されている。ここで、各選択ボタンＢは、各々異なるＦＭワイヤレスマイク１と対応付けられている。図４は、選択ボタンＢとＦＭワイヤレスマイク１との対応関係を示す対応表の一例を示す図である。同図に示すように各選択ボタンＢは、ＦＭワイヤレスマイク１について指定されている電波の周波数（言わば、ＦＭワイヤレスマイク１の識別情報）と対応付けられる。なお、各ＦＭワイヤレスマイク１は、上記のように、ＦＭレシーバ２１との間に予め定められた対応関係を有するため、各選択ボタンＢは、ＦＭワイヤレスマイク１を介してＦＭレシーバ２１と対応付けられているとも言える。すなわち、同図に示す各電波の周波数は、ＦＭレシーバ２１の識別情報とも言える。
【００２８】
音声情報配信部２３１５は、上記の選択画面においていずれかの選択ボタンＢがユーザ端末４の利用者により選択されると、選択された選択ボタンＢに対応するＦＭワイヤレスマイク１により生成された音声情報を通信部２３３に出力する。言い換えると、選択された選択ボタンＢに対応するＦＭワイヤレスマイク１から電波を受信したＦＭレシーバ２１により復元された音声情報を通信部２３３に出力する。通信部２３３は、本発明に係る「提供手段」の一例であり、音声情報配信部２３１５から出力された音声情報を、通信ネットワーク５を介してユーザ端末４にストリーミング配信する。
【００２９】
次に、図１に示すＦＭトランスミッタ２４は、本発明に係る「提供手段」の一例であり、音声情報出力部２３１４により出力された音声情報に基づいて、指定された周波数の電波をＦＭ変調してワイヤレスイヤホン３に対して発信する。ＦＭトランスミッタ２４は、具体的には、各々図示を省略するが、音声情報出力部２３１４により出力された音声情報に基づいて、指定された周波数の電波をＦＭ変調する変調回路と、ＦＭ変調された電波を発信するアンテナと、ＦＭトランスミッタ２４の各部に電力を供給する電池とを備える。ここで、ＦＭトランスミッタ２４について指定される電波の周波数は、上記の複数のＦＭワイヤレスマイク１のいずれとも異なる。
以上が、音声情報提供装置２の構成についての説明である。
【００３０】
次に、図１に示すワイヤレスイヤホン３は、ユーザ端末の一例であり、上記の音楽イベントの会場に存在する聴取者により装着される。このワイヤレスイヤホン３は、ＦＭトランスミッタ２４から電波を受信し、受信した電波を復調して音声情報を取り出し、取り出した音声情報により表される音声を聴取者の耳穴に放射する。ワイヤレスイヤホン３は、具体的には、各々図示を省略するが、ＦＭトランスミッタ２４から発信された電波を受信するアンテナと、受信された電波を復調して音声情報を取り出す復調回路と、取り出された音声情報により表される音声を聴取者の耳穴に放射するスピーカと、ワイヤレスイヤホン３の各部に電力を供給する電池とを備える。
【００３１】
ユーザ端末４は、スマートフォンやタブレット端末等の携帯情報端末や据え置き型のコンピュータ装置であり、上記の音楽イベントの会場内に存在しない聴取者により主に使用される。ユーザ端末４は、音声情報選択装置２３から通信ネットワーク５を介して音声情報を受信すると、受信した音声により表される音声を聴取者に向けて放射する。ユーザ端末４は、具体的には、各々図示を省略するが、音声情報選択装置２３から通信ネットワーク５を介して音声情報を受信する通信部と、受信された音声により表される音声を聴取者に向けて放射するスピーカとを備える。また、ユーザ端末４は、ＣＰＵ等の演算処理装置と揮発性のメモリとを備える制御部と、フラッシュメモリ等の記憶部と、液晶ディスプレイ等の表示部と、タッチパネルやキーボード等の操作入力部とを備える。
【００３２】
１−２．動作
音声情報提供システムの動作について説明する。具体的には、音声情報提供装置２が、音声情報が聴取者に提供されるＦＭワイヤレスマイク１を選択するワイヤレスマイク選択処理と、音声情報提供装置２が、ＦＭワイヤレスマイク１により生成された音声情報をユーザ端末４にストリーミング配信する音声情報配信処理について説明する。
【００３３】
１−２−１．ワイヤレスマイク選択処理
図５は、ワイヤレスマイク選択処理の一例を示すフロー図である。同図に示すワイヤレスマイク選択処理は、音声情報提供装置２がＦＭワイヤレスマイク１から電波を受信する間、繰り返し実行される。
【００３４】
音声情報選択装置２３の音声情報入力部２３１１は、複数のＦＭレシーバ２１の各々から出力される音声情報を、ミキサ２２を介して取得する（ステップＳａ１）。盛り上がり度算出部２３１２は、ステップＳａ１において取得された各音声情報について、音声情報を解析して、当該音声情報により表される音声に対する聴取者群の盛り上がりの度合いを示す盛り上がり度を、所定の時間単位で算出する（ステップＳａ２）。ワイヤレスマイク選択部２３１３は、ステップＳａ２において算出された各盛り上がり度に基づいて、複数のＦＭワイヤレスマイク１の中から一のＦＭワイヤレスマイク１を選択する（ステップＳａ３）。具体的には、最も盛り上がり度の高い音声情報を生成したＦＭワイヤレスマイク１から電波を受信したＦＭレシーバ２１を選択する。
【００３５】
この選択を受けて、音声情報出力部２３１４は、音声情報入力部２３１１により取得された複数の音声情報のうち、ステップＳａ３において選択されたＦＭワイヤレスマイク１から電波を受信したＦＭレシーバ２１により復元された音声情報をＦＭトランスミッタ２４に出力する。ＦＭトランスミッタ２４は、音声情報出力部２３１４により出力された音声情報に基づいて、指定された周波数の電波をＦＭ変調してワイヤレスイヤホン３に対して発信する。その結果、ワイヤレスイヤホン３を装着する聴取者は、音楽イベントの会場の中で最も盛り上がっているブース又はステージ付近の音声（具体的には、演奏と歓声）を聞くことができる。
【００３６】
１−２−２．音声情報配信処理
図６は、音声情報配信処理の一例を示すシーケンス図である。音声情報選択装置２３の音声情報配信部２３１５は、ユーザ端末４から選択画面要求を取得すると（ステップＳｂ１）、図３に例示する選択画面を表す画面情報をユーザ端末４に送信する（ステップＳｂ２）。ユーザ端末４は、画面情報を取得すると、当該情報に基づいて選択画面を表示する（ステップＳｂ３）。表示した選択画面において利用者がいずれかの選択ボタンＢを選択すると、ユーザ端末４は、選択された選択ボタンＢの識別情報を含む音声情報要求を音声情報選択装置２３に送信する（ステップＳｂ４）。音声情報選択装置２３の音声情報配信部２３１５は、音声情報要求を取得すると、選択された選択ボタンＢに対応するＦＭワイヤレスマイク１により生成された音声情報を通信部２３３に出力する。通信部２３３は、音声情報配信部２３１５から出力された音声情報をユーザ端末４にストリーミング配信する（ステップＳｂ５）。ユーザ端末４は、ストリーミング配信される音声情報により表される音声を利用者に対して放射する（ステップＳｂ６）。その結果、利用者は、自身が選択したＦＭワイヤレスマイク１により収集された音声（言い換えると、特定のブース又はステージ付近の演奏と歓声）をリアルタイムで聴取することができる。
【００３７】
２．変形例
上記の実施形態は、以下に記載するように変形してもよい。なお、下記の２以上の変形例を互いに組み合わせてもよい。
【００３８】
２−１．変形例１
ＦＭワイヤレスマイク１は、音楽イベントの会場の各所に設置されるワイヤレスマイクの一例である。ワイヤレスマイクの変調方式はＦＭ変調に限られず、例えばＡＭ変調であってもよい。また、ワイヤレスマイクは、音楽イベントの会場の各所に設置される収音装置の一例である。ワイヤレスマイクに代えて、スマートフォンや携帯電話機等の携帯型の情報処理装置や、トランシーバを採用してもよい。
【００３９】
２−２．変形例２
上記の実施形態では、複数のＦＭワイヤレスマイク１を音楽イベントの会場の各所に設置することを想定しているが、これはあくまで一例である。複数のＦＭワイヤレスマイク１は、他の種類のイベントの会場の各所に設置されてもよい。あるいは、平時の街中の各所に設置されてもよい。
【００４０】
２−３．変形例３
ワイヤレスイヤホン３は、音楽イベントの会場において聴取者により装着される音声再生装置の一例である。アンテナと復調回路とスピーカさえ備えていれば、音声再生装置の形態は問わない。例えば、ワイヤレスヘッドホンに換えてもよい。
【００４１】
２−４．変形例４
上記の実施形態において盛り上がり度算出部２３１２は、盛り上がり度を算出する際、音声情報からバンドパスフィルタにより人間の声に対応する周波数帯域を抽出し、抽出した周波数帯域の音圧レベルの単位時間あたりの移動平均値を算出している。しかし、この算出方法は一例に過ぎない。盛り上がり度算出部２３１２は、別の例として、抽出した周波数帯域の音圧レベルの単位時間あたりの最大値を、盛り上がり度として算出してもよい。あるいは、抽出した周波数帯域の音圧レベルの単位時間あたりの移動平均値から、当該単位時間よりも長い別の単位時間あたりの移動平均値を減じて得た差分を、盛り上がり度として算出してもよい。後者の算出方法によれば、定常時と比較した盛り上がりの変化を盛り上がり度に反映させることができる。
【００４２】
また、上記の実施形態において盛り上がり度算出部２３１２は、音声情報入力部２３１１を介してミキサ２２を操作し、複数のＦＭレシーバ２１の各々から出力される音声情報を選択的に取得するようにしてもよい。例えば、複数のＦＭレシーバ２１から所定の時間間隔（例えば１０秒間隔）で順番に音声情報を取得し、取得した音声情報を解析して盛り上がり度を算出するようにしてもよい。または、すべてのＦＭレシーバ２１からミキサ２２を介して音声情報を常時取得し、それらの音声情報を解析して各盛り上がり度を常時算出するようにしてもよい。
【００４３】
２−５．変形例５
ワイヤレスマイク選択部２３１３は、複数のＦＭワイヤレスマイク１の中から、生成した音声情報の盛り上がり度が相対的に高い２以上のＦＭワイヤレスマイク１を選択してもよい。その場合、音声情報提供装置２は、複数のＦＭトランスミッタ２４を備えるようにし、音声情報出力部２３１４は、ワイヤレスマイク選択部２３１３により選択された２以上のＦＭワイヤレスマイク１により生成された音声情報を、各々別のＦＭトランスミッタ２４に出力する。各ＦＭトランスミッタ２４は、音声情報出力部２３１４により出力された音声情報に基づいて、指定された互いに異なる周波数の電波をＦＭ変調してワイヤレスイヤホン３に対して発信する。ワイヤレスイヤホン３は、マルチチャネル対応の復調回路を備えるようにし、聴取者により選択された周波数の電波を復調して音声情報を取り出し、取り出した音声情報により表される音声を聴取者の耳穴に放射する。
【００４４】
２−６．変形例６
音声情報配信部２３１５は、音声情報入力部２３１１により取得された複数の音声情報のうち、ワイヤレスマイク選択部２３１３により選択されたＦＭワイヤレスマイク１により生成された音声情報を通信部２３３に出力するようにしてもよい。この変形によれば、ユーザ端末４の利用者は、音楽イベントの会場の中で最も盛り上がっているブース又はステージ付近の音声（具体的には、演奏と歓声）を聞くことができる。なお、最も盛り上がっているブース又はステージ付近の音声の配信は、例えば、図３に例示する選択画面において、ユーザ端末４の利用者により、図示せぬ所定の選択ボタンが選択されたことを契機として実行されてよい。
【００４５】
２−７．変形例７
図３に例示する選択画面では、各選択ボタンＢは、平面図Ｍ上において、実際に会場に配置されているＦＭワイヤレスマイク１と対応する位置に配置されている。しかしこれに代えて、各選択ボタンＢをリスト状に並べてもよい。その際、選択ボタンＢの順序を、対応するＦＭワイヤレスマイク１が生成した音声情報の盛り上がり度に応じて決定してもよい。具体的には、盛り上がり度が相対的に高い音声情報を生成したＦＭワイヤレスマイク１に対応する選択ボタンＢの順位が上位になるように並べてもよい。
【００４６】
２−８．変形例８
音声情報提供装置２は、ＦＭワイヤレスマイク１により収音された音声に加えて、当該音声が収音された場所（具体的には、ブースやステージ）を通知する音声を聴取者に提供してもよい。その場合、音声情報選択装置２３の制御部２３１は、図示を省略するが、場所情報特定部をさらに実現するようにする。この場所情報特定部は、ワイヤレスマイク選択部２３１３により選択されたＦＭワイヤレスマイク１が設置された場所を通知する音声情報を特定する。例えば、ＦＭワイヤレスマイク１の識別情報である周波数と、その設置場所を通知する音声情報との対応関係を示す対応表を参照して、音声情報を特定する。設置場所を通知する音声情報が特定されると、ＦＭトランスミッタ２４は、この音声情報と、音声情報出力部２３１４により出力された音声情報とに基づいて、指定された周波数の電波をＦＭ変調してワイヤレスイヤホン３に対して発信する。その結果、ワイヤレスイヤホン３を装着する聴取者は、音楽イベントの会場の中で最も盛り上がっているブース又はステージ付近の音声を聞きつつ、そのブース又はステージの場所を知ることができる。
【００４７】
２−９．変形例９
音声情報提供装置２は、ＦＭワイヤレスマイク１により収音された音声に加えて、当該音声に対する聴取者群による評価を通知する音声を聴取者に提供してもよい。その場合、音声情報選択装置２３の制御部２３１は、図示を省略するが、評価情報生成部をさらに実現するようにする。この評価情報生成部は、ワイヤレスマイク選択部２３１３により選択されたＦＭワイヤレスマイク１により生成された音声情報の盛り上がり度を通知する音声情報を音声合成により生成する。ここで生成される音声情報とは、例えば、「ＦＭワイヤレスマイク１−１、周波数７６．０ＭＨｚ、盛り上がり度３、ＦＭワイヤレスマイク１−２、周波数７７．０ＭＨｚ、盛り上がり度５、…」のように、音声を収音したＦＭワイヤレスマイク１の識別情報と指定周波数と盛り上がり度とを繰り返し（又は間欠的に）通知する音声情報である。この音声情報が生成されると、ＦＭトランスミッタ２４は、この音声情報と、音声情報出力部２３１４により出力された音声情報とに基づいて、指定された周波数の電波をＦＭ変調してワイヤレスイヤホン３に対して発信する。その結果、ワイヤレスイヤホン３を装着する聴取者は、音楽イベントの会場の中で最も盛り上がっているブース又はステージ付近の音声を聞きつつ、その盛り上がり具合を数値として知ることができる。この音声を聞いた聴取者は、自身が所有するＦＭラジオ（図示略）の周波数を調整して、所望のＦＭワイヤレスマイク１により収音された音声を聞くようにしてもよい。
なお、評価情報生成部により生成される音声情報は、通信部２３３により、音声情報配信部２３１５から出力された音声情報とともに、通信ネットワーク５を介してユーザ端末４に配信されてもよい。
【００４８】
２−１０．変形例１０
ワイヤレスマイク選択部２３１３は、盛り上がり度算出部２３１２により算出される盛り上がり度に代えて、通信ネットワーク５を介して音声を聴取する聴取者群による評価に基づいて、ＦＭワイヤレスマイク１を選択するようにしてもよい。言い換えると、音楽イベントの会場に存在する聴取者群ではなく、音楽イベントの会場に存在しないユーザ端末４の利用者群による評価に基づいてＦＭワイヤレスマイク１を選択するようにしてもよい。具体的には、ユーザ端末４の利用者群による音声の聴取回数に基づいてＦＭワイヤレスマイク１を選択するようにしてもよい。その場合、音声情報選択装置２３の制御部２３１は、図示を省略するが、評価値特定部をさらに実現するようにする。この評価値特定部は、音声情報入力部２３１１により取得された複数の音声情報の各々について、音声情報により表される音声の聴取回数を示す評価値を、所定の時間単位で特定する。ここで、音声の聴取回数とは、当該音声が音声情報配信部２３１５によりユーザ端末４に対してストリーミング配信された回数である。ワイヤレスマイク選択部２３１３は、複数のＦＭワイヤレスマイク１のうち、所定の時間単位において最も聴取回数の多い音声情報を生成したＦＭワイヤレスマイク１を選択する。
【００４９】
なお、音声の聴取回数は、ユーザ端末４の利用者群による評価を示す値の一例である。音声の聴取回数に代えて、音声についてユーザ端末４の利用者群により音声情報選択装置２３に対して投稿されたコメント数に基づいてＦＭワイヤレスマイク１が選択されてもよい。あるいは、ＳＮＳ（Social Networking Service）上において音声情報（具体的には、音声情報のＵＲＬ）がシェアされた回数やコメントされた回数に基づいてＦＭワイヤレスマイク１が選択されてもよい。
また、評価値特定部が評価値を特定する際の所定の時間単位は、ワイヤレスマイク選択部２３１３がＦＭワイヤレスマイク１を選択する際の所定の時間単位と異なっていてもよい。例えば、後者の時間単位は前者の時間単位よりも長め（例えば、１０倍）であってもよい。
【００５０】
２−１１．変形例１１
音声情報選択装置２３において実行されるプログラムは、コンピュータ装置が読み取り可能な記録媒体に記録されて配布されてもよい。ここで記録媒体とは、例えば、磁気テープや磁気ディスクなどの磁気記録媒体や、光ディスクなどの光記録媒体や、光磁気記録媒体や、半導体メモリである。また、このプログラムは、インターネット等のネットワークを介して配信されてもよい。
【符号の説明】
【００５１】
１…ＦＭワイヤレスマイク、２…音声情報提供装置、３…ワイヤレスイヤホン、４…ユーザ端末、５…通信ネットワーク、２１…ＦＭレシーバ、２２…ミキサ、２３…音声情報選択装置、２４…ＦＭトランスミッタ、２３１…制御部、２３２…記憶部、２３３…通信部、２３１１…音声情報入力部、２３１２…盛り上がり度算出部、２３１３…ワイヤレスマイク選択部、２３１４…音声情報出力部、２３１５…音声情報配信部
【図１】
2018195903.tif 000003
【図２】
2018195903.tif 000004
【図３】
2018195903.tif 000005
【図４】
2018195903.tif 000006
【図５】
2018195903.tif 000007
【図６】
2018195903.tif 000008